(57)【要約】【課題】モータが発火した場合の類焼防止を簡単な構成で、二槽式洗濯機の安全性を高めること。【解決手段】脱水カゴ１２を駆動する脱水モータ１５と、衣類攪拌用のパルセータ５を駆動する洗濯モータ６と、前記脱水モータ１５及び洗濯モータ６とを支持する台枠３とを備え、前記洗濯モータ６および脱水モータ１５の底部に、不燃性材料により形成され、側面部に複数個の通穴２４を有する凹部を形成したモータ底部カバーをそれぞれに設けることにより、たとえ故障してモータが燃えても、不燃性材料の底部カバー２１、２５により、類焼することなく安全性を確保することができる。【選択図】図１
2008253473.tif 000002
【特許請求の範囲】
【請求項１】
脱水槽内に配した脱水カゴを駆動する脱水モータと、衣類攪拌用のパルセータを駆動する洗濯モータと、前記脱水モータ及び洗濯モータとを支持する台枠とを備え、前記脱水モータおよび洗濯モータの下方の底部ブラケットの風穴に対応するように、不燃性材料により形成され、側面部に複数個の通穴を有する凹部を形成したモータ底部カバーを係着した二槽式洗濯機。
【発明の詳細な説明】
【技術分野】
【０００１】
本発明は、衣類の攪拌による洗濯槽と遠心脱水による脱水槽とを有する二槽式洗濯機に関するものである。
【背景技術】
【０００２】
従来、この種の洗濯機は、図４の縦断面図および図５のモータ近傍の部分断面図に示すように構成していた。以下、その構成について説明する。
【０００３】
図４および図５に示すように、洗濯槽１と脱水槽２は樹脂一体で成形され、樹脂製の台枠３に載置された鋼板製あるいは樹脂製の外枠４内部に支持されている。洗濯槽１の底面には、上端に撹拌翼５を取り付け、下端には洗濯モータ６の回転を洗濯モータ６に取り付けたモータプーリ７、Ｖベルト８を介して撹拌翼５に伝達するインペラプーリ９が取り付けられた洗濯軸（図示せず）を内装した軸受け部１０を取り付けている。
【０００４】
また、脱水槽２内部には、外周部に通穴１１を複数個有する脱水カゴ１２が内装され、底部に取り付けられた、脱水軸１３を装着したカップリング１４を介して、脱水モータ１５に取り付けられたブレーキホイール（連結部材）１６と締結され、脱水モータ１５の回転を脱水カゴ１２に伝達している。
【０００５】
前記洗濯モータ６は、複数個の洗濯防振部材１７を介して前記台枠３に固定され、前記脱水モータ１５は、下端を台枠３に固定され、内部にスプリング（図示せず）を有する複数個の脱水防振部材１８の上端に取り付けられ、脱水時の振動を吸収する構成となっている。
【０００６】
洗濯モータ６は、図５に示すように、その底部の底部ブラケット６ａには、運転時の冷却循環用の風穴２０を形成し、内部のモータ巻線（図示せず）の温度上昇を冷却させる。
【０００７】
脱水モータ１５も同様の構成をしている。
【０００８】
前記洗濯槽１と脱水槽２の上部には、回転を制御するタイマー等の電装部品（図示せず）を内装した制御パネル１９が取り付けられている。
【０００９】
上記構成において動作を説明すると、洗い時には、洗濯槽１内に洗濯物を入れて規定の水位まで給水し、タイマーを動作させることにより、洗濯モータ６が回転し、その回転力をモータプーリ７、Ｖベルト８を介して撹拌翼５に伝達し、洗濯物を回転させ洗濯する。
【００１０】
また、脱水時には、洗いが終了した洗濯物を脱水カゴ１２に投入し、タイマーを動作させ、脱水モータ１５を回転させることにより、脱水カゴ１２を回転させ、回転時に発生する遠心力により洗濯物内の水分を振り切る脱水を行う。
【００１１】
近年、家庭用機器の安全に対する市場の要望が高まっており、たとえ故障しても、使用者に危害がおよぶことのない安全性の高い機器の開発が強く求められている。
【００１２】
上記要請は、洗濯機においても同様であり、安全性の高い洗濯機の開発が要望されており、例えば駆動モータの進相コンデンサが発火したような場合でも、その発火が他部材に類焼しないよう前記コンデンサを防火材料で囲い込み延焼を防止していた例が、一槽式洗濯機で提案されている（例えば、特許文献１参照）。
【特許文献１】実開平５−５１２７２号公報
【発明の開示】
【発明が解決しようとする課題】
【００１３】
しかしながら、前記の従来の構成では、コンデンサのような小型の部材では防火材料で囲い込み対策が可能であっても、モータのような大型部材で、回転機構を他構造に伝達させるものにあっては、囲い込み構造は困難であった。その結果開放された取付構造のモータ等に不具合が発生すると以下のような問題が発生することになる。
【００１４】
洗い時に何らかの原因（例えば、洗濯物の撹拌翼への噛み込み・撹拌翼への異物浸入等）で撹拌翼５がロック（拘束）されると、洗濯モータ６の回転もロック（拘束）され、洗濯モータ６の巻き線（図示せず）には電流が流れているので発熱し、洗濯モータ６自体の温度が上昇してゆく。
【００１５】
通常は、前記のような状態になると洗濯モータ６に付加された温度過昇防止装置としての温度プロテクター（図示せず）等が作動して洗濯モータ６等への通電を遮断する安全装置が施されているのが通常である。しかし、前記安全対策にて装着されている温度プロテクターにも不具合が発生し、温度上昇検知しない場合には洗濯モータ６の温度はどんどん上昇してゆき、洗濯モータ６内部の巻き線のワニス、絶縁紙、軸受けオイル等が発煙、発火へと進展してゆく。
【００１６】
発火した炎は、上方へ上がるが、洗濯モータ６の上部には、傘形状をした金属製のモータプーリ７があるため、上部への延焼は防止される。
【００１７】
一方、発火により燃えた洗濯モータ６の燃えカスは洗濯モータ６底部に設けられた冷却循環用の風穴２０より下方に落下し、樹脂製で構成された台枠３に類焼したり、洗濯機の設置部に類焼する可能性があった。
【００１８】
また、脱水時においても何らかの原因（例えば、ブレーキ機構の不具合、洗濯物の脱水槽内への落下等）により、脱水モータ１５がロック（拘束）されると、洗濯モータ６と同様に、温度プロテクターが動作しない場合には、発煙・発火に至り、最終的には樹脂製の台枠３への類焼や洗濯機の設置部の類焼へと繋がる可能性があった。
【００１９】
以上のように、従来構成では、モータ関連部材で重複した不具合が発生すると、モータからの燃焼物が下方に滴下し製品が燃える、という不安全状態になる課題があった。
【００２０】
本発明は上記従来の課題を解決するもので、構成が簡単で部品点数も少なく価格も安価で耐久性にも優れた、より安全な洗濯機を提供することを目的としている。
【課題を解決するための手段】
【００２１】
上記目的を達成するために、本発明の洗濯機は、前記脱水モータおよび洗濯モータの底部に、不燃性材料により形成され、側面部に複数個の通穴を有する凹部を形成したモータ底部カバーを設ける構成としたものである。
【００２２】
これによりたとえ洗濯モータや脱水モータが発火し、燃えカスが滴下するような状況になっても、モータ下部を覆った不燃性材料により形成されたカバーにより燃えカスは補足され、可燃性の台枠や洗濯機の設置部への類焼を確実に防止することができる。
【００２３】
これにより、いままでの洗濯機の構成を大きく変更することなく、構成が簡単で部品点数も少なく価格も安価で耐久性にも優れたより安全な洗濯機を提供することができる。
【発明の効果】
【００２４】
本発明の洗濯機は、簡単かつ確実な構成でモータの異常時における発火時の類焼を確実に防止することができる。
【発明を実施するための最良の形態】
【００２５】
第１の発明は、脱水槽内に配した脱水カゴを駆動する脱水モータと、衣類攪拌用のパルセータを駆動する洗濯モータと、前記脱水モータ及び洗濯モータとを支持する台枠とを備え、前記脱水モータおよび洗濯モータの下方の底部ブラケットの風穴に対応するように、不燃性材料により形成され、側面部に複数個の通穴を有する凹部を形成したモータ底部カバーを係着したことにより、モータ発火時の燃えカスを補足し、下部にある可燃性の台枠や洗濯機の設置部の類焼を防止することができる。
【００２６】
さらに、モータ底部カバーの側面部に通風穴を複数個設けることで、モータ回転時の空気の流れを確保し、モータの温度上昇を防止することができる。
【００２７】
以下、本発明の一実施の形態について、図面を参照しながら説明する。
【００２８】
また、従来例と同構成の部品については同じ部品番号を付与する。なおこの実施の形態によって本発明が限定されるものではない。
【００２９】
（実施の形態１）
図１は本発明の第１の実施の形態における洗濯機の縦断面図、図２は同洗濯機のモータ近傍の縦断面図であり、図３は同洗濯機の要部分解斜視図である。
【００３０】
図１に示すように、洗濯モータ６の底部の底部ブラケット６ａ下方に、不燃性材料により形成された底部カバー２１を、また、脱水モータ１５についても洗濯モータ６に取り付けたものと同様の構成の脱水底部カバー２５を脱水モータ１５の下方に配置する。
【００３１】
前記底部カバー２１は、図２および図３に示すように洗濯モータ６の底部ブラケット６ａに設けられた冷却循環用の風穴２０に対向するように配すると共に、前記底部カバー２１の外周部に一体形成した複数個の爪部２２により、前記風穴２０と係着することにより、前記洗濯モータ６の底部ブラケット６ａ下面に取り付けられている。
【００３２】
また、底部カバー２１の略中央部には凹部２３が形成されており、その側面には、通穴２４が複数個設けられている。
【００３３】
以上のように構成された洗濯機について以下動作、作用を説明する。
【００３４】
洗い時には、洗濯槽１内に洗濯物を入れて規定の水位まで給水し、タイマーを動作させることにより、洗濯モータ６が回転し、その回転力をモータプーリ７、Ｖベルト８を介して撹拌翼５に伝達し、洗濯物を回転させ洗濯する。
【００３５】
その洗い時に何らかの原因（例えば、洗濯物の撹拌翼５への噛み込み・撹拌翼５への異物浸入等）で撹拌翼５がロック（拘束）されると、洗濯モータ６の回転もロック（拘束）され、モータ自体の温度が上昇してゆく。さらに安全対策にて装着されている温度プロテクター（図示せず）が不具合で、温度上昇検知しない場合には洗濯モータ６の温度はどんどん上昇してゆき、モータ内部の巻き線のワニス、絶縁紙、軸受けオイル等が発煙さらには発火へと進展してゆく。
【００３６】
発火した炎は、上方へ上がるが、洗濯モータ６の上部には、傘形状をした金属製のモータプーリ７があるため、上部への延焼は防止される。
【００３７】
一方、発火により燃えた洗濯モータ６の巻き線のワニス、絶縁紙、軸受けオイル等の燃えカスは、洗濯モータ６底部に設けられた冷却循環用の風穴２０より下方に落下し、不燃性材料により形成された底部カバー２１の上に落下する。
【００３８】
底部カバー２１は不燃性材料であるため、たとえ燃えカスが燃えている状態で落下しても、底部カバー２１が燃えることはなく、樹脂製の台枠３に類焼したり、洗濯機の設置部に類焼することはなく、洗濯モータ６の焼損のみで収束することになり、拡大被害を防止することができる。
【００３９】
また、脱水時には、洗いが終了した洗濯物を脱水カゴ１２に投入し、タイマーを動作させ、脱水モータ１５を回転させることにより、脱水カゴ１２を回転させ、回転時に発生する遠心力により洗濯物内の水分を振り切る脱水を行う。
【００４０】
脱水時においても何らかの原因（例えば、ブレーキ機構の不具合、洗濯物の脱水槽内への落下等）により、脱水モータ１５がロック（拘束）されると、洗濯モータ６と同様に、温度プロテクターが動作しない場合には、発煙から発火へと進展するが、前述した洗濯モータ６と同様に、脱水底部カバー２５の働きにより、脱水モータ１５の焼損のみで収束することになり、拡大被害に至ることはない。
【００４１】
さらに、底部カバー２１の中央部には凹部２３が形成されており、その側面には、通穴２４が複数個設けられているため、底部カバー２１がモータの底面ブラケットの風穴２０を塞ぐ構成となっていても、前記通穴２４を通じて空気の循環が確保できるため、風穴２０の本来の空気循環性を阻害することはない。
【００４２】
以上のように本実施の形態では、洗濯モータ６および脱水モータ１５の底部に、不燃性材料により形成され、中心部に、側面部に複数個の通穴２４を有する凹部２３を形成した底部カバー２１及び脱水底部カバー２５を設ける構成により、たとえ洗濯モータ６や脱水モータ１５が発火し、燃えカスが滴下するような状況になっても、モータ下部を覆った不燃性材料により形成された底部カバー２１、および脱水底部カバー２５により燃えカスは補足され、可燃性の台枠や洗濯機の設置部への類焼を確実に防止することができる。
【００４３】
また、底部カバー２１及び脱水底部カバー２５の取付方法は、それぞれのモータの底部ブラケットに形成した風穴２０に、底部カバー２１及び脱水底部カバー２５に一体形成した爪部２２を係着したので、簡単にかつ部品点数も少なく価格も安価で耐久性にも優れた構成を実現できた。
【００４４】
さらに、底部カバー２１に設けた通穴２４の効果により、本来のモータのもつ空気循環による冷却性能を損なうこともない。
【産業上の利用可能性】
【００４５】
以上のように、本発明にかかる洗濯機は、不燃材料性の底部カバーを取り付ける簡単かつ確実な構成で洗濯機の安全性を確保することができる。なお、洗濯機に限らずモータを有する機器等の用途にも適用できる。
【図面の簡単な説明】
【００４６】
【図１】本発明の実施の形態１における洗濯機の縦断面図
【図２】同洗濯機のモータ近傍の縦断面図
【図３】同洗濯機の要部分解斜視図
【図４】従来の洗濯機の縦断面図
【図５】従来の洗濯機のモータ近傍の部分断面図
【符号の説明】
【００４７】
１    洗濯槽
２    脱水槽
３    台枠
５    撹拌翼
６    洗濯モータ
１２  脱水カゴ
１５  脱水モータ
２１  底部カバー
２４  通穴
【図１】
2008253473.tif 000003
【図２】
2008253473.tif 000004
【図３】
2008253473.tif 000005
【図４】
2008253473.tif 000006
【図５】
2008253473.tif 000007